(57)【要約】    【課題】  原稿照射用の光が目に入ることによってユーザに与える不快感を低減すると共に、消費電力を低減することができる原稿読取り装置を提供する。    【解決手段】  原稿読取り装置１００は、スキャナコントローラ１２１と、読取り開始キー１２４を有する操作部１２０と、ランプ１０５を有する光学台１０７と、ＣＣＤ１１２とを備え、スキャナコントローラ１２１は、操作部１２０の読取り開始キー１２４が押下されたときは、各領域ａ〜ｄのうち原稿サイズに対応する領域のランプ１０５のＬＥＤを点灯し、光学台１０７を待機位置から原稿サイズに応じた位置まで副走査方向に移動し、ＣＣＤ１１２により原稿１０１を読取る。【選択図】      図１１
2005354205.tif 000002
【特許請求の範囲】
【請求項１】
原稿を載置する原稿台と、前記原稿台に載置された原稿に光を照射する光源と、前記照射された原稿からの反射光を画像信号に変換する変換素子とを備えた原稿読取り装置において、前記光源を部分的に消灯する消灯手段を備えることを特徴とする原稿読取り装置。
【請求項２】
前記光源は、主走査方向に並設された互いに独立して点灯可能な複数の部分光源からなることを特徴とする請求項１記載の原稿読取装置。
【請求項３】
前記消灯は、前記光源の減灯を含むことを特徴とする請求項１又は２記載の原稿読取り装置。
【請求項４】
前記光源はＬＥＤであることを特徴とする請求項１乃至３記載のいずれか１項に原稿読取り装置。
【請求項５】
前記原稿台のうち前記原稿が載置されていない部分を判別する判別手段を備え、前記消灯手段は、前記光源を前記原稿が載置されていない部分に対応して消灯することを特徴とする請求項１乃至４記載のいずれか１項に原稿読取り装置。
【請求項６】
前記判別手段は、前記原稿が載置されていない部分をユーザが入力した原稿サイズ情報に基づいて判別することを特徴とする請求項５記載の原稿読取り装置。
【請求項７】
前記判別手段は、原稿読取り時に前記原稿が載置されていない部分を検知することを特徴とする請求項５記載の原稿読取り装置。
【請求項８】
前記原稿の原稿サイズを検知する検知手段を備え、前記判別手段は、前記検知された原稿サイズから前記原稿が載置されていない部分を判別することを特徴とする請求項５記載の原稿読取り装置。
【請求項９】
前記検知手段は、前記変換手段により変換された画像信号に基づいて前記原稿サイズを検知することを特徴とする請求項８記載の原稿読取り装置。
【請求項１０】
前記検知手段は、前記原稿が載置されている部分に対応する前記部分光源から順に前記光源を点灯して前記原稿サイズを検知することを特徴とする請求項８又は９記載の原稿読取り装置。
【請求項１１】
前記光源の点灯時間は１秒以下程度であることを特徴とする請求項８乃至１０のいずれか１項に記載の原稿読取り装置。
【請求項１２】
前記消灯手段は、前記光源をユーザが指定した読取り範囲以外の部分に対応して消灯することを特徴とする請求項１乃至４のいずれか１項に記載の原稿読取り装置。
【発明の詳細な説明】
【技術分野】
【０００１】
本発明は、原稿読取り装置に関し、特に、原稿台上に載置された原稿に光を照射して原稿を読取る原稿読取り装置に関する。
【背景技術】
【０００２】
従来のコピー機等の原稿読取り装置は、原稿が載置される原稿台ガラスと、原稿台ガラス上に載置された原稿を押さえる原稿圧板と、原稿の原稿面に光を照射するランプを載置すると共に画像読取り位置に移動する光学台と、原稿からの反射光を光電変換するＣＣＤとを備え、これにより原稿を読取る（例えば、特許文献１参照）。
【０００３】
また、原稿からの反射光を光電変換するＣＣＤから出力された読取り値により原稿台ガラス上の原稿の有無を判別して、原稿台ガラス上に載置された原稿の原稿サイズを検知することができる原稿読取り装置が知られている（例えば、特許文献２，３参照）。
【特許文献１】特開平８−２０４９０８号公報
【特許文献２】特開平５−２０７２３９号公報
【特許文献３】特開平８−６９２１５号公報
【発明の開示】
【発明が解決しようとする課題】
【０００４】
しかしながら、上記従来の原稿読取り装置は、原稿を押えるための原稿圧板が完全に閉じていない状態で原稿読取りを行うと、原稿が載置されていない部分からランプの光が漏れ、この光がユーザの目に入りユーザに不快感を与える場合がある。特に、厚手の本等を読取る場合は、原稿圧板を完全に閉じることができないので、ランプの光がユーザの目に入る場合が多い。
【０００５】
また、上記原稿サイズを検知することができる原稿読取り装置においては、原稿サイズ検知時にも原稿読取り時と同様にランプの光がユーザの目に入る場合がある。
【０００６】
本発明の目的は、原稿照射用の光が目に入ることによってユーザに与える不快感を低減すると共に、消費電力を低減することができる原稿読取り装置を提供することにある。
【課題を解決するための手段】
【０００７】
上述の目的を達成するために、請求項１記載の原稿読取り装置は、原稿を載置する原稿台と、前記原稿台に載置された原稿に光を照射する光源と、前記照射された原稿からの反射光を画像信号に変換する変換素子とを備えた原稿読取り装置において、前記光源を部分的に消灯する消灯手段を備えることを特徴とする。
【０００８】
請求項２記載の原稿読取り装置は、請求項１記載の原稿読取装置において、前記光源は、主走査方向に並設された互いに独立して点灯可能な複数の部分光源からなることを特徴とする。
【０００９】
請求項３記載の原稿読取り装置は、請求項１又は２記載の原稿読取り装置において、前記消灯は、前記光源の減灯を含むことを特徴とする。
【００１０】
請求項４記載の原稿読取り装置は、請求項１乃至３記載のいずれか１項に原稿読取り装置において、前記光源はＬＥＤであることを特徴とする。
【００１１】
請求項５記載の原稿読取り装置は、請求項１乃至４記載のいずれか１項に原稿読取り装置において、前記原稿台のうち前記原稿が載置されていない部分を判別する判別手段を備え、前記消灯手段は、前記光源を前記原稿が載置されていない部分に対応して消灯することを特徴とする。
【００１２】
請求項６記載の原稿読取り装置は、請求項５記載の原稿読取り装置において、前記判別手段は、前記原稿が載置されていない部分をユーザが入力した原稿サイズ情報に基づいて判別することを特徴とする。
【００１３】
請求項７記載の原稿読取り装置は、請求項５記載の原稿読取り装置において、前記判別手段は、原稿読取り時に前記原稿が載置されていない部分を検知することを特徴とする。
【００１４】
請求項８記載の原稿読取り装置は、請求項５記載の原稿読取り装置において、前記原稿の原稿サイズを検知する検知手段を備え、前記判別手段は、前記検知された原稿サイズから前記原稿が載置されていない部分を判別することを特徴とする。
【００１５】
請求項９記載の原稿読取り装置は、請求項８記載の原稿読取り装置において、前記検知手段は、前記変換手段により変換された画像信号に基づいて前記原稿サイズを検知することを特徴とする。
【００１６】
請求項１０記載の原稿読取り装置は、請求項８又は９記載の原稿読取り装置において、前記検知手段は、前記原稿が載置されている部分に対応する前記部分光源から順に前記光源を点灯して前記原稿サイズを検知することを特徴とする。
【００１７】
請求項１１記載の原稿読取り装置は、請求項８乃至１０のいずれか１項に記載の原稿読取り装置において、前記光源の点灯時間は１秒以下程度であることを特徴とする。
【００１８】
請求項１２記載の原稿読取り装置は、請求項１乃至４のいずれか１項に記載の原稿読取り装置において、前記消灯手段は、前記光源をユーザが指定した読取り範囲以外の部分に対応して消灯することを特徴とする。
【発明の効果】
【００１９】
請求項１記載の原稿読取り装置によれば、光源を部分的に消灯するので、原稿照射用の光が目に入ることによってユーザに与える不快感を低減すると共に、消費電力を低減することができる。
【００２０】
請求項２記載の原稿読取り装置によれば、光源は、主走査方向に並設された互いに独立して点灯可能な複数の部分光源からなるので、光源を部分的に確実に消灯することができる。
【００２１】
請求項５記載の原稿読取り装置によれば、光源を原稿台のうち原稿が載置されていない部分に対応して消灯するので、原稿照射用の光が目に入ることによってユーザに与える不快感を低減すると共に、消費電力を低減することができる。
【００２２】
請求項６記載の原稿読取り装置によれば、原稿が載置されていない部分をユーザが入力した原稿サイズ情報に基づいて判別するので、原稿サイズが検知できない場合にも、原稿照射用の光が目に入ることによってユーザに与える不快感を低減すると共に、消費電力を低減することができる。
【００２３】
請求項７記載の原稿読取り装置によれば、原稿読取り時に原稿が載置されていない部分を検知するので、ユーザに原稿サイズを指定させることなく、原稿照射用の光が目に入ることによってユーザに与える不快感を低減すると共に、消費電力を低減することができる。
【００２４】
請求項８記載の原稿読取り装置によれば、原稿の原稿サイズを検知し、検知された原稿サイズから原稿が載置されていない部分を判別するので、原稿サイズを確実に検知することができる。
【００２５】
請求項９記載の原稿読取り装置によれば、変換手段により変換された画像信号に基づいて原稿サイズを検知するので、原稿サイズを確実に検知することができる。
【００２６】
請求項１０記載の原稿読取り装置によれば、原稿が載置されている部分に対応する部分光源から順に光源を点灯して原稿サイズを検知するので、原稿サイズ検知時の原稿照射用の光による眩しさを低減することができる。
【００２７】
請求項１１記載の原稿読取り装置によれば、光源の点灯時間は１秒以下程度であるので、原稿サイズ検知時の原稿照射用の光による眩しさを低減することができる。
【００２８】
請求項１２記載の原稿読取り装置によれば、光源をユーザが指定した読取り範囲以外の部分に対応して消灯するので、原稿照射用の光が目に入ることによってユーザに与える不快感を低減すると共に、消費電力を低減することができる。
【発明を実施するための最良の形態】
【００２９】
以下、本発明の実施の形態を図面を参照しながら詳述する。
【００３０】
図１は、本発明の実施の形態に係る原稿読取り装置の構成を概略的に示す図であり、（ａ）は正面図、（ｂ）は側面図である。
【００３１】
図１の原稿読取り装置１００は、原稿１０１が載置される原稿台ガラス１０２（図３）と、原稿１０１の原稿面に光を照射するランプ１０５（図４）、及び原稿１０１からの反射光を反射するミラー１０６を載置すると共に副走査方向に移動する光学台１０７と、ミラー１０６からの反射光をレンズ１１１に導くミラー１０８，１０９を載置すると共に光学台１０７の１／２の速度で移動する光学台１１０と、光学台１０７，１１０を駆動する光学台モータ１１９と、光学台１０７，１１０によって導かれた反射光を集光するレンズ１１１と、レンズ１１１によって集光された反射光を光電変換するＣＣＤ１１２と、原稿台ガラス１０２の所定の位置における原稿の有無を２値で出力して原稿台ガラス１０２に載置された原稿１０１の副走査方向の原稿サイズを検知する原稿サイズ検知センサ１１３と、原稿１０１を押え、原稿１０１を読取る際の裏写りを防ぐために裏面が白色の原稿圧板１１５と、光を感知することにより原稿圧板１１５の開角度が３０°以上か否かを検出する光学センサ１１６と、原稿圧板１１５の開角度によって上下し、開角度が３０°以上になると光学センサ１１６が感知する光を遮るセンサフラグ１１７とを備える。原稿読取装置１００は、操作面に後述する図５の操作部１２０を有する。
【００３２】
図２は、図１の原稿読取り装置１００の制御部の構成を概略的に示すブロック図である。
【００３３】
図２の原稿読取り装置１００の制御部１００Ａは、ＣＣＤ１１２に接続されると共にＣＣＤ１１２からの出力信号をアナログ／デジタル変換するＡ／Ｄ変換回路１１８と、変換された出力信号を受容するスキャナコントローラ１２１とを備える。スキャナコントローラ１２１は、光学台モータ１１９と、ランプ１０５と、原稿サイズ検知センサ１１３と、光学センサ１１６と、操作部１２０（図５）とが接続されている。スキャナコントローラ１２１は、ＣＣＤ１１２、光学台モータ１１９、ランプ１０５、原稿サイズ検知センサ１１３、光学センサ１１６、及び操作部１２０を夫々制御する。
【００３４】
図３は、図１における原稿台ガラス１０２の上面図である。
【００３５】
図３の原稿台ガラス１０２は、定型サイズの原稿１０１を載置したときの原稿１０１の端部の位置を示した原稿サイズラベル１０３と、原稿１０１の先端を合わせて載置する位置を示す原稿合わせマーク１０４を備える。
【００３６】
図４は、図１におけるランプ１０５について説明するのに用いられる図である。
【００３７】
図４のランプ１０５は、主走査方向にアレイ状に並べられた複数のＬＥＤから構成されている。この複数のＬＥＤは、定型サイズの原稿の主走査方向サイズに応じたの各領域ａ〜ｄに区切られ、具体的には、領域ａはＢ６、Ｂ５Ｒの幅に対応し、領域ｂはＡ５、Ａ４Ｒの幅のＢ６、Ｂ５Ｒの幅を超える分に対応し、領域ｃはＢ４、Ｂ５の幅のＡ５、Ａ４Ｒの幅を超える分に対応し、領域ｄはＡ４、Ａ３の幅のＢ４、Ｂ５の幅を超える分に対応する。各領域ａ〜ｄのＬＥＤは、は独立に点灯、減灯又は消灯できるようになっている。
【００３８】
図５は、図２における操作部１２０の一例を示す図である。
【００３９】
図５の操作部１２０は、原稿読取り装置１００に原稿読取りを開始させるための読取り開始キー１２４と、原稿読取りを停止させるための読取り停止キー１２５と、ユーザへのメッセージや、ユーザにより指定された倍率などの情報を表示するディスプレイ１２６と、ユーザが原稿サイズや倍率等を指定するためのタッチパネル１２７とを備える。
【００４０】
図６は、図１の原稿読取り装置によって実行される原稿サイズ検知方法を説明するのに用いられる図である。
【００４１】
図６において、まず、ランプ１０５を載置した光学台１０７を、原稿サイズを検知しないときは、待機位置で待機させ、次いで、光学台１０７を原稿サイズ検知位置に配置してＣＣＤ１１２にて読取りを行うことにより、原稿１０１の主走査方向の原稿サイズを検知する。また、原稿サイズ検知センサ１１３を図示の位置に配置することにより、原稿台ガラス１０２に載置された原稿１０１の副走査方向の原稿サイズを検知する。
【００４２】
図７は、図１の原稿読取り装置１００によって実行される原稿サイズ検知処理のフローチャートである。
【００４３】
図７において、原稿読取り装置１００のスキャナコントローラ１２１は、光学センサ１１６が光を感知したか否かの判別により、原稿圧板１１５の開角度が３０°以上であるか否かを判別し（ステップＳ２０１）、原稿圧板１１５の開角度が３０°以上であるときは、ランプ１０５によって原稿サイズ検知を行うために、光学台１０７を待機位置から原稿サイズ検知位置に移動し（ステップＳ２０２）、ステップＳ２０１に戻る。
【００４４】
ステップＳ２０１の判別の結果、原稿圧板１１５の開角度が３０°以下のときは、スキャナコントローラ１２１は、ユーザによって原稿が載置され原稿圧板１１５が閉め始められたものと判断し、原稿サイズ検知センサ１１３を制御し、原稿サイズ検知センサ１１３の２値出力信号に基づき原稿の副走査方向のサイズを判定する（ステップＳ２０３）。
【００４５】
次いで、スキャナコントローラ１２１はランプ１０５を領域ａにおいて点灯し、領域ａにおいて原稿からの反射光をＣＣＤ１１２の出力信号をＡ／Ｄ変換回路１１８よりデジタル信号として読取り（ステップＳ２０４）、予め設定された閾値に基づき原稿からの反射光の有無を判別することにより領域ａに原稿が有るか否かを判別し（ステップＳ２０５）、領域ａに原稿が有るときは、ランプ１０５を領域ｂにおいて点灯し、領域ｂにおいて原稿からの反射光を読取り（ステップＳ２０６）、領域ｂに原稿が有るか否かを判別し（ステップＳ２０７）、領域ｂに原稿が有るときは、ランプ１０５を領域ｃにおいて点灯し、領域ｃにおいて原稿からの反射光を読取り（ステップＳ２０８）、領域ｃに原稿が有るか否かを判別し（ステップＳ２０９）、領域ｃに原稿が有るときは、ランプ１０５を領域ｄにおいて点灯し、領域ｄにおいて原稿からの反射光を読取って（ステップＳ２１０）、ステップＳ２１１に進む。
【００４６】
ステップＳ２０５の判別の結果、領域ａに原稿が無いときは（ステップＳ２０５でＮＯ）、領域ｂにおいて原稿からの反射光を読取ることなく、ステップＳ２０７の判別の結果、領域ｂに原稿が無いときは（ステップＳ２０７でＮＯ）、領域ｃにおいて原稿からの反射光を読取ることなく、ステップＳ２０９の判別の結果、領域ｃに原稿が無いときは（ステップＳ２０９でＮＯ）、領域ｄにおいて原稿からの反射光を読取ることなく、ステップＳ２１１に進む。
【００４７】
次いで、スキャナコントローラ１２１は、ステップＳ２０４〜ステップＳ２１０のＣＣＤ１１２による各領域の読取り結果に基づいて主走査方向サイズを判定する（ステップＳ２１１）。図８に示すように、原稿台ガラス１０２にＡ４原稿が載置された場合の領域ａ、ｂ、ｃのＣＣＤ１１２による各読取り結果を図９に示す。図９（ａ）は、領域ａに原稿が有ることを示し、図９（ｂ）は、領域ｂに原稿が有ることを示し、図９（ｃ）は、領域ｃに原稿が無いことを示している。この場合、ステップＳ２１１において、領域ｂまで原稿有りと判定される。
【００４８】
次いで、ステップＳ２０３の副走査方向サイズの判定結果と、ステップＳ２１１の主走査方向サイズの判定結果とに基づいて原稿サイズを判定し、原稿サイズの判定結果をユーザに知らせるために操作部１２０のディスプレイ１２６に表示し（ステップＳ２１２）、本処理を終了する。ステップＳ２１２の原稿サイズ判定は、図１０に示すように、例えば、ＣＣＤ１１２による主走査方向サイズ判定結果が、領域ｂまで原稿有りで、原稿検知センサ１１３による副走査方向サイズ判定結果が、原稿有りの場合は、原稿サイズはＡ４Ｒであると判定される。
【００４９】
ステップＳ２０４〜Ｓ２１０におけるランプ１０５の点灯時間は、１秒以下程度の短い時間にすることが好ましい。これにより、原稿サイズ検知時のランプ１０５の光による眩しさを低減することができる。
【００５０】
図７の処理によれば、ランプ１０５を構成する複数のＬＥＤの各領域ａ〜ｃに原稿が無いときは（ステップＳ２０５等でＮＯ）、次の領域において原稿からの反射光を読取らないので、原稿の載置されていない領域を照射することを極力防いで原稿サイズを検知し、もって原稿照射用の光が目に入ることによってユーザに与える不快感を低減すると共に、消費電力を低減することができる。
【００５１】
図１１は、図１の原稿読取り装置１００によって実行される原稿読取り処理のフローチャートである。
【００５２】
図１１において、スキャナコントローラ１２１は、操作部１２０の読取り開始キー１２４が押下されたときは（ステップＳ３０１でＹＥＳ）、図７の原稿サイズ検知処理によって原稿サイズが検知済みであるか否かを判別し（ステップＳ３０２）、原稿サイズが検知済みでないとき、例えば、原稿圧板１１５が開かれた状態で読取り開始キー１２４が押下されたとき等は、ユーザに原稿サイズの指定を促すメッセージを操作部１２０のディスプレイ１２６に表示し、操作部１２０のタッチパネル１２７によって原稿サイズが指定されるまで待機し（ステップＳ３０３）、原稿サイズが指定されたときは（ステップＳ３０４でＹＥＳ）、各領域ａ〜ｄのうち原稿サイズに対応しない領域のＬＥＤを消灯して原稿サイズに対応する領域のＬＥＤのみを点灯し（ステップＳ３０５）、光学台１０７を待機位置から原稿サイズに応じた位置まで副走査方向に移動し、ＣＣＤ１１２により原稿１０１を読取り（ステップＳ３０６）、本処理を終了する。
【００５３】
ステップＳ３０２の判別の結果、原稿サイズが検知済みであるときは、ステップＳ３０３、Ｓ３０４の原稿サイズを指定させる処理を実行せずに、ステップＳ３０５以降の処理を実行して、本処理を終了する。
【００５４】
なお、ステップＳ３０５おいて、原稿サイズに対応しない領域のＬＥＤを消灯して原稿サイズに対応する領域のＬＥＤのみを点灯するとしたが、原稿サイズに対応しない領域のＬＥＤを減灯するようにしてもよい。減灯とは、所定値以下の明るさで点灯することをいう。これにより、原稿読取り時の眩しさを低減することができる。
【００５５】
図１１の処理によれば、原稿サイズに対応しない領域のＬＥＤを消灯して原稿サイズに対応する領域のＬＥＤのみを点灯し（ステップＳ３０５）、光学台１０７を原稿サイズに応じた位置まで副走査方向に移動し、原稿１０１を読取る（ステップＳ３０６）ので、原稿照射用の光が目に入ることによってユーザに与える不快感を低減すると共に、消費電力を低減することができる。
【００５６】
また、原稿サイズが検知済みでないとき、ユーザに原稿サイズの指定を促すメッセージを操作部１２０のディスプレイ１２６に表示し、操作部１２０のタッチパネル１２７によって原稿サイズが指定されるまで待機する（ステップＳ３０３）ので、原稿サイズが検知できない場合にも、原稿照射用の光が目に入ることによってユーザに与える不快感を低減すると共に、消費電力を低減することができる。
【００５７】
図１２は、図１１の原稿読取り処理の変形例のフローチャートである。
【００５８】
図１２の変形例は、図７の原稿サイズ検知処理によって原稿サイズが検知されていない場合にも、ユーザに原稿サイズを指定させることなく原稿読取りを開始することができる点で、図１１と異なる。
【００５９】
図１２において、スキャナコントローラ１２１は原稿読取り開始を指定されると、ランプ１０５の各領域ａ〜ｄを全て点灯し（ステップＳ４０２）、光学台１０７を待機位置から副走査方向に移動して原稿を読取り（ステップＳ４０３）、ＣＣＤ１１２の読取り値を所定閾値と比較して各領域ａ〜ｄにおける原稿の有無を判定し（ステップＳ４０４）、各領域ａ〜ｄのうち読取り値が所定閾値以下の原稿無しの領域のランプを消灯する（ステップＳ４０５）。
【００６０】
次いで、全ての領域ａ〜ｄが原稿無しか否かを判別し（ステップＳ４０６）、全ての領域が原稿無しでない、即ち、原稿有りの領域があるときは、ステップＳ４０３以降の処理を繰り返し、全ての領域が原稿無しになったときは、本処理を終了する。
【００６１】
図１２の処理によれば、原稿読取り中に原稿サイズを検知し、原稿が載置された領域のランプ１０５のみを点灯して画像読み取りを行う（ステップＳ４０３〜Ｓ４０５）ので、ユーザに原稿サイズを指定させることなく、原稿照射用の光が目に入ることによってユーザに与える不快感を低減すると共に、消費電力を低減することができる。
【図面の簡単な説明】
【００６２】
【図１】本発明の実施の形態に係る原稿読取り装置の構成を概略的に示す図であり、（ａ）は正面図、（ｂ）は側面図である。
【図２】図１の原稿読取り装置１００の制御部の構成を概略的に示すブロック図である。
【図３】図１における原稿台ガラス１０２の上面図である。
【図４】図１におけるランプ１０５について説明するのに用いられる図である。
【図５】図２における操作部１２０の一例を示す図である。
【図６】図１の原稿読取り装置によって実行される原稿サイズ検知方法を説明するのに用いられる図である。
【図７】図１の原稿読取り装置１００によって実行される原稿サイズ検知処理のフローチャートである。
【図８】図７のステップＳ２１１の主走査方向サイズの判定を説明するのに用いられる図である。
【図９】図７のステップＳ２１１の主走査方向サイズの判定を説明するのに用いられる図である。
【図１０】図７のステップＳ２１２の原稿サイズの判定を説明するのに用いられる図である。
【図１１】図１の原稿読取り装置１００によって実行される原稿読取り処理のフローチャートである。
【図１２】図１１の原稿読取り処理の変形例のフローチャートである。
【符号の説明】
【００６３】
１００  原稿読取装置
１０２  原稿台ガラス
１０５  ランプ
１０７  光学台
１１２  ＣＣＤ
１１３  原稿サイズ検知センサ
１２１  スキャナコントローラ
【図１】
2005354205.tif 000003
【図２】
2005354205.tif 000004
【図３】
2005354205.tif 000005
【図４】
2005354205.tif 000006
【図５】
2005354205.tif 000007
【図６】
2005354205.tif 000008
【図７】
2005354205.tif 000009
【図８】
2005354205.tif 000010
【図９】
2005354205.tif 000011
【図１０】
2005354205.tif 000012
【図１１】
2005354205.tif 000013
【図１２】
2005354205.tif 000014